(57)【要約】【課題】  生物の登坂能力に見合う勾配と生物の体格に見合う空間および分岐点を持つ多数の通路を急傾斜の人工斜面に構築するための要素をブロック構造体に持たせる。【解決手段】  前面８に突起Ａ２ａ、突起Ｂ２ｂ、突起Ｃ２ｃおよび突起Ｄ２ｄを持ち、前面８と背面９の間の内部に貫通孔Ａ３ａ、貫通孔Ｂ３ｂ、貫通孔Ｃ３ｃおよび貫通孔Ｄ３ｄを持ち、且つ突起の上面と貫通孔を空間的に接続する穴Ａ４ａ、穴Ｂ４ｂ、穴Ｃ４ｃ、穴Ｄ４ｄを持つブロック構造体１であって、突起と貫通孔の配置が交差すること、突起と貫通孔の交差部に穴を持つこと、ブロック構造体を千鳥または並列に配置するときに互いのブロック構造体の突起が連続すること、同様にブロック構造体の貫通孔が連続すること、突起と貫通孔の勾配が斜面傾斜角７ではなくブロック構造体の高さＨと長さＢで決まることを特徴とする生物用通路要素付ブロック構造体。【選択図】図１
2008057299.tif 000002
【特許請求の範囲】
【請求項１】
人工斜面を形成するブロック構造体であって、人工斜面に構築する生物用通路の要素となる前面の突起、内部の貫通孔、および突起の上面と貫通孔を空間的に接続する穴を持つことを特徴とする生物用通路要素付ブロック構造体。
【請求項２】
複数のブロック構造体を千鳥または並列に配置する時、互いのブロック構造体の突起を幾何学的に連続させる突起の軸線の配置、およびその連続した突起の上面を利用して生物が移動できる突起の断面形状を持つことを特徴とする請求項１記載の生物用通路要素付ブロック構造体。
【請求項３】
複数のブロック構造体を千鳥または並列に配置する時、互いのブロック構造体の貫通孔を幾何学的に連続させる貫通孔の軸線の配置、およびその連続した貫通孔を利用して生物が移動できる貫通孔の断面形状を持つことを特徴とする請求項１記載の生物用通路要素付ブロック構造体。
【請求項４】
ブロック構造体を前面から背面の方向に見たときに請求項２記載の突起の軸線と請求項３記載の貫通孔の軸線を交差させること、突起の上面と貫通孔を空間的に接続する穴を突起と貫通孔の軸線が交差する箇所に設置すること、および突起上面から貫通孔へまたはその逆方向に生物が移動できる穴の形状とすることを特徴とする請求項１記載の生物用通路要素付ブロック構造体。
【請求項５】
請求項１または請求項２に記載するブロック構造体において、貫通孔と穴を省略することにより、通路要素を突起に限定することを特徴とする生物用通路要素付ブロック構造体。
【請求項６】
請求項１または請求項３に記載するブロック構造体において、突起と穴を省略すると共に貫通孔を前面に露出させることにより、通路要素を前面に露出させた貫通孔に限定することを特徴とする生物用通路要素付ブロック構造体。
【請求項７】
生物用通路要素付ブロック構造体、例えば請求項１〜請求項６に記載する生物用通路要素付ブロック構造体を用いて、連続した突起で構成する多数の通路、または連続した突起と連続した貫通孔およびそれらを空間的に接続する穴で構成する多数の通路、または連続すると共に前面に露出させた貫通孔で構成する多数の通路を人工斜面に構築することにより、人工斜面の上端と下端の間の双方向の生物の移動が容易な人工斜面を形成することを特徴とする人工斜面形成法。
【発明の詳細な説明】
【技術分野】
【０００１】  本発明は、ブロック構造体を用いて形成される盛土、切土、河川、湖沼、調整池の急傾斜の人工斜面において、人工斜面の角度に関わることなく人工斜面の上端と下端の間の双方向の生物の移動が容易な人工斜面形成法およびこれに用いるブロック構造体に関するものである。
【背景技術】
【０００２】  従来のブロック構造体を用いて形成される人工斜面においては、傾斜角６０°〜９０°の斜面における上端と下端の間の双方向の生物の移動を容易とする人工斜面形成法およびそれに用いるブロック構造体は無い。【０００３】  よって、自然環境の生態系保全などで生物の移動を考慮する必要がある場合は斜面傾斜角４５°未満の人工斜面とすることが一般的であるが、敷地が限られる場合は勾配が緩やかな人工斜面とすることができず、生物の移動が困難な急傾斜の人工斜面が形成される。このような人工斜面は自然環境の生態系を保全する上で好ましくない。
【発明の開示】
【発明が解決しようとする課題】
【０００４】  斜面の角度によらずに人工斜面を生物が移動するためには、生物の登坂能力に見合う勾配と生物の体格に見合う空間および分岐点を持つ多数の通路を人工斜面に構築する必要がある。【０００５】  本発明では、生物の登坂能力に見合う勾配と生物の体格に見合う空間および分岐点を持つ多数の通路を構築するための生物用通路要素付ブロック構造体を提供し、それを用いることにより斜面傾斜角に関わらずに生物が容易に移動できる生物用通路を構築できる人工斜面形成法を提供することを目的とする。
【課題を解決するための手段】
【０００６】  前述の目的を達成するブロック構造体は、前面の突起と前面と背面の間の内部の貫通孔および突起の上面と貫通孔を空間的に接続する穴を持つことを特徴とする。突起の上面と貫通孔は生物の登坂能力に見合う勾配と生物の体格に見合う空間を持つ通路の一部となり穴は突起の上面と貫通孔で構成する通路の分岐点となる。突起と貫通孔の勾配すなわち通路の勾配はブロック構造体の高さＨと長さＬで決まる。【０００７】  本発明のブロック構造体を人工斜面の構築で多用される千鳥配置で並べたときに、互いのブロック構造体の突起は連続しなければならない。また、実用性からブロック構造体の製造コストを低減するためにはブロック構造体の種類を最少としなければならない。後で詳細に説明する突起の軸線の配置はこの二つの条件を同時に満足する。また、突起の断面形状は対象とする生物の体格に合わせる必要があるが、本発明は対象とする生物を限定するものではないので、大まかに突起の断面形状を示す。【０００８】  同様に、本発明のブロック構造体を人工斜面の構築で多用される千鳥配置で並べたときに、互いのブロック構造体の貫通孔は連続しなければならない。また、実用性からブロック構造体の製造コストを低減するためにはブロック構造体の種類を最少としなければならない。後で詳細に説明する貫通孔の軸線の配置はこの二つの条件を同時に満足する。また、貫通孔の断面形状は対象とする生物の体格に合わせる必要があるが、本発明は対象とする生物を限定するものではないので、大まかに貫通孔の断面形状を示す。【０００９】  本発明のブロック構造体において、突起の配置と貫通孔の配置を交差させ、その交差部に突起の上面と貫通孔を空間的に接続する穴を設置することにより、生物にとって経路の選択が可能な分岐点を効率よく作ることができる。この分岐点は生物が天敵から逃れる重要な手段の一つとなる。穴の形状は対象とする生物の体格に合わせる必要があるが、本発明は対象とする生物を限定するものでないので、大まかに穴の形状を示した。【００１０】  ところで、突起と貫通孔および穴を同時に持つブロック構造体は構造が複雑となるため、製造コストが高くなる欠点がある。製造コストを低減するためには構造を簡素化することが有効である。【００１１】  貫通孔と穴を省略し、通路を作る要素を突起に限定すると、ブロック構造体の構造が簡単になる。よって、前面に突起のみを持つブロック構造体はコスト面で有用である。【００１２】  また、突起と穴を省略すると共に貫通孔を前面に露出させ、通路を作る要素を前面に露出した貫通孔に限定すると、ブロック構造体の構造が簡単になる。よって、前面に露出した貫通孔のみを持つブロック構造体はコスト面で有用である。【００１３】  本発明の生物が容易に移動できる人工斜面形成法は、ブロック構造体を用いて、連続した突起からなる多数の通路、または連続した突起と連続した貫通孔および突起の上面と貫通孔を空間的に接続する穴からなる多数の通路、または連続すると共に前面に露出させた貫通孔からなる多数の通路を構築するところに特徴がある。よって、そこで用いるブロック構造体は、本発明の生物用通路要素付ブロック構造体に限らず、連続した突起と連続した貫通孔および��れらを空間的に接続する穴となる要素を持つものであれば他のブロック構造体でも良い。
【発明の効果】
【００１４】  以上、説明したように本発明の生物が容易に移動できる人工斜面形成法によれば、連続した突起からなる多数の通路、または連続した突起と連続した貫通孔および突起の上面と貫通孔を空間的に接続する穴からなる多数の通路、または連続すると共に前面に露出させた貫通孔からなる多数の通路を人工斜面に構築することにより、急傾斜の人工斜面においても人工斜面の上端と下端の間の双方向の生物の移動が容易な人工斜面を形成できる。さらに、本発明の生物用通路要素付ブロック構造体によれば、連続した突起、連続した突起と連続した貫通孔およびそれらを空間的に接続する穴、連続すると共に前面に露出した貫通孔を、効率良く人工斜面に構築することができる。
【発明を実施するための最良の形態】
【００１５】  以下、本発明の実施の形態を図面に基づき詳細に説明する。【００１６】  図１は前面８、背面９、左側面１０、右側面１１、上面１２および底面１３を持つブロック構造体１の外観斜視図である。前面８は人工斜面の表面となり、背面９は斜面の裏込め土・裏込め石・裏込めコンクリートなどと接する。前面８と背面９の外形は高さＨと長さＬの長方形とし、高さＨは０．４ｍ〜２ｍ、長さＬは０．４ｍ〜４ｍとする。前面８と背面９は平行で、それらの間隔Ｔは０．２ｍ〜１．０ｍとする。底面１３の一辺に沿う水平基準線５と背面９と左側面１０に共通な辺に沿う斜面基準線６の成す角度すなわち斜面傾斜角７は４５°〜９０°とする。間隔Ｔは人工斜面の総高により決まり、高さＨと長さＬは人工斜面の総面積または対象とする生物の種類によって決まる寸法である。本発明では人工斜面の総高、人工斜面の総面積および対象とする生物の種類は限定しない。【００１７】  本発明はブロック構造体１の前面８の構造と前面８と背面９の挟まれた内部の構造に関係するものである。すなわち、曲面８に設置する４個の突起Ａ２ａ、突起Ｂ２ｂ、突起Ｃ２ｃおよび突起Ｄ２ｄ、前面８に設置する４個の穴Ａ４ａ、穴Ｂ４ｂ、穴Ｃ４ｃおよび穴Ｄ４ｄ、および前面８と背面９に挟まれる内部に設置する４個の貫通孔Ａ３ａ、貫通孔Ｂ３ｂ、貫通孔Ｃ３ｃ、貫通孔Ｄ３ｄが本発明の対象である。ただし、突起と貫通孔および穴の数はそれぞれ４個に限らない。【００１８】  図１の突起Ａ２ａは左側面１０から上面１２へ通じる。突起Ｂ２ｂは左側面１０から穴Ｃ４ｃと穴Ａ４ａを経由して上面１２へ通じる。突起Ｃ２ｃは底面１３から穴Ｄ４ｄと穴Ｂ４ｂを経由して右側面１１へ通じる。突起Ｄ２ｄは底面１３から右側面１１へ通じる。これらの４つの突起Ａ２ａ、突起Ｂ２ｂ、突起Ｃ２ｃおよび突起Ｄ２ｄは、人工斜面に通路を作る要素となる。【００１９】  図１の貫通孔Ａ３ａは上面１２から右側面１１へ通じる。貫通孔Ｂ３ｂは上面１２から穴Ａ４ａと穴Ｂ４ｂを経由して右側面１１へ通じる。貫通孔Ｃ３ｃは左側面１０から穴Ｃ４ｃと穴Ｄ４ｄを経由して底面１３へ通じる。貫通孔Ｄ３ｄは左側面１０から底面１３へ通じる。これらの４つの貫通孔Ａ３ａ、貫通孔Ｂ３ｂ、貫通孔Ｃ３ｃ、貫通孔Ｄ３ｄは、人工斜面に通路を作る要素となる。【００２０】  図２は図１に示したブロック構造体１を背面側から見た外観斜視図である。貫通孔Ａ３ａと貫通孔Ｂ３ｂはそれぞれ上面１２から右側面１１へ通じ、貫通孔Ｃ３ｃと貫通孔Ｄ３ｄはそれぞれ左側面１０から底面１３へ通じる。なお、図が煩雑になるのを避けるため、図１で示した前面８側の突起Ｃ２ｃ、突起Ｄ２ｄ、穴Ａ４ａ、穴Ｂ４ｂ、穴Ｃ４ｃおよび穴Ｄ４ｄは省略して描いている。【００２１】  図３は、図１に示した前面８を正面とするブロック構造体の正面図であり、突起と貫通孔および穴の位置関係を説明する図である。貫通孔Ａ３ａは突起Ｂ２ｂと突起Ｃ２ｃと交差し、貫通孔Ｂ３ｂと貫通孔Ｃ３ｃは突起Ａ２ａ、突起Ｂ２ｂ、突起Ｃ２ｃおよび突起Ｄ２ｄとそれぞれ交差し、貫通孔Ｄ３ｄは突起Ｂ２ｂおよび突起Ｃ２ｃと交差する。【００２２】  穴Ａ４ａは突起Ｂ２ｂと貫通孔Ｂ３ｂの交差部に有り、穴Ｂ４ｂは突起Ｃ２ｃと貫通孔Ｂ���ｂの交差部に有り、穴Ｃ４ｃは突起Ｂ２ｂと貫通孔Ｃ３ｃの交差部に有り、穴Ｄ４ｄは突起Ｃ２ｃと貫通孔Ｃ３ｃの交差部に有り、それぞれ突起の上面と貫通孔を空間的に接続する。【００２３】  図４は図３のＥ−Ｅ断面図で、穴が突起の上面と貫通孔を空間的に接続する様子を説明する図である。穴Ａ４ａは突起Ｂ２ｂの上面１４ｂと貫通孔Ｂ３ｂを空間的に接続する。穴Ｄ４ｄは突起Ｃ２ｃの上面１４ｃと貫通孔Ｃ３ｃを空間的に接続する。図では示さないが、穴Ｂ４ｂは突起Ｃ２ｃの上面と貫通孔Ｂ３ｂを空間的に接続し、穴Ｃ４ｃは突起Ｂ２ｂの上面と貫通孔Ｃ３ｃを空間的に接続する。よって、生物は突起の上面から穴を通って貫通孔へあるいはその逆方向に移動できる。つまり穴は突起と貫通孔で構成する通路の分岐要素となる。【００２４】  図５は前面８における突起の配置図である。前面８の外形である長方形の各辺の長さを１：２：１に分割する点を図５に示すように時計回りにＰＡ１５ａ、ＰＢ１５ｂ、ＰＣ１５ｃ、ＰＤ１５ｄ、ＰＥ１５ｅ、ＰＦ１５ｆ、ＰＧ１５ｇ、ＰＨ１５ｈとする。突起Ａ２ａの軸線１６ａはＰＡ１５ａとＰＨ１５ｈを通り、突起Ｂ２ｂの軸線１６ｂはＰＢ１５ｂとＰＧ１５ｇを通り、突起Ｃ２ｃの軸線１６ｃはＰＣ１５ｃとＰＦ１５ｆを通り、突起Ｄ２ｄの軸線１６ｄはＰＤ１５ｄとＰＥ１５ｅを通る。これらの軸線は直線とは限らず、曲線でも良い。軸線を直線とする場合は、軸線は対角線Ａ１７に平行となり、通路となる突起の勾配はブロック構造体の高さＨと長さＬにより決まり、斜面傾斜角７とは無関係である。【００２５】  また、図５の配置において左右を逆にした突起の軸線の配置も本発明の範囲である。【００２６】  なお、突起の数は４個に限るものではない。突起の数を８個とするときは、軸線が各辺の長さを１：２：２：２：１に分割する点を通ると共に対角線Ａ１７と平行になるように軸線の配置を決める。【００２７】  図６はブロック構造体の貫通孔の配置図である。貫通孔の軸線を図１の背面９へ投影して説明する。背面９の外形である長方形の各辺の長さを１：２：１に分割する点を図６に示すように反時計回りにＱＡ１８ａ、ＱＢ１８ｂ、ＱＣ１８ｃ、ＱＤ１８ｄ、ＱＥ１８ｅ、ＱＦ１８ｆ、ＱＧ１８ｇ、ＱＨ１８ｈとする。貫通孔Ａ３ａの軸線１９ａはＱＡ１８ａとＱＨ１８ｈを通り、貫通孔Ｂ３ｂの軸線１９ｂはＱＢ１８ｂとＱＧ１８ｇを通り、貫通孔Ｃ３ｃの軸線１９ｃはＱＣ１８ｃとＱＦ１８ｆを通り、貫通孔Ｄ３ｄの軸線１９ｄはＱＤ１８ｄとＱＥ１８ｅを通る。これらの軸線は直線とは限らず曲線でも良い。軸線を直線とする場合は、軸線は対角線Ｂ２０に平行となり、通路となる貫通孔の勾配はブロック構造体の高さＨと長さＬにより決まり、斜面傾斜角７とは無関係である。【００２８】  また、図６の配置において左右を逆にした貫通孔の軸線の配置も本発明の範囲である。【００２９】  なお、貫通孔の数は４個に限るものではない。貫通孔の数を８個とするときは、軸線が各辺の長さを１：２：２：２：１に分割する点を通ると共に対角線Ｂ２０と平行になるように軸線の配置を決める。【００３０】  突起の断面形状について説明する。突起Ａ２ａ、突起Ｂ２ｂ、突起Ｃ２ｃおよび突起Ｄ２ｄの断面形状は等しいとする。よって、図３の断面Ｆ−Ｆすなわち突起Ｂ２ｂの断面を具体的に説明する。図７は図３のＦ−Ｆ断面図である。突起の断面形状は突起幅２１ａ、突起厚２１ｂ、傾斜角Ａ２１ｃ、傾斜角Ｂ２１ｄで表される台形とする。台形には長方形と正方形を含む。突起幅２１ａは０．１ｍ〜０．６ｍの範囲で通路の対象となる生物の体格により決定する。突起厚２１ｂはブロック構造体の前面における厚みを示し、突起幅２１ａに応じて０．１ｍ〜０．３ｍの範囲で設定する。傾斜角Ａ２１ｃは突起Ｂ２ｂの上面と前面８のなす角、傾斜角Ｂ２１ｄは突起Ｂ２ｂの下面と前面８のなす角であり、斜面傾斜角７に応じてそれぞれ９０°〜１２０°の範囲で設定する。中心線２２は突起厚２１ｂを二等分し、ブロック構造体の前面８に垂直とする。中心線２２と前面８の交点を基準点２３とする。図５に示したブロック構造体の前面８における配置の基準となる突起Ｂ２ｂの軸線１６ｂは図中の基準点２３を通る。他の突起の軸線も同様に各々の基準点を通る。【００３１】  貫通孔の断面形状について説明する。貫通孔Ａ３ａ、貫通孔Ｂ３ｂ、貫通孔Ｃ３ｃおよび貫通孔Ｄ３ｄの断面形状は等しいとする。よって、図３の断面Ｇ−Ｇすなわち貫通孔Ｂ３ｂの断面形状を具体的に説明する。図８は図３のＧ−Ｇ断面図である。貫通孔の断面形状は孔幅２４ａと孔高２４ｂの長方形、多角形または楕円形とする。長方形には正方形を含み、楕円形には円形を含む。孔幅２４ａと孔高２４ｂは０．０５ｍ〜０．３ｍの範囲で通路の対象となる生物の体格により決める。孔の位置は前面からの取付深さ２４ｃで設定する。取付深さ２４ｃは０．０５ｍ〜０．５ｍの範囲で設定する。孔幅２４ａの中心線２５ａと孔高２４ｂの中心線２５ｂの交点を基準点２６とすると、貫通孔Ｂ３ｂの軸線は基準点２６を通る。他の貫通孔の軸線も同様に各々の基準点を通る。【００３２】  貫通孔をブロック構造体の前面に露出させるには、図８の取付深さ２４ｃを０．０ｍとする。これにより、突起と穴を省略し、前面に露出した貫通孔のみを持つブロック構造体を簡単に作ることができる。【００３３】  図９は穴の位置と形状を説明する図である。図３の穴Ａ４ａを具体的に説明する。ブロック構造体の前面８における穴Ａ４ａの形状は貫通孔Ｂ３ｂの軸線１９ｂと平行な穴長２７ａと、軸線１９ｂに直角な穴幅Ａ２７ｂと穴幅Ｂ２７ｃ、穴半径２７ｄ、および突起Ｂ２ｂの上面１４ｂで区切られる図中のごとき形状とする。穴長２７ａは０．０５ｍ〜０．５ｍの範囲で、穴幅Ａ２７ｂと穴幅Ｂ２７ｃはそれぞれ０．０５ｍ〜０．３ｍの範囲で、穴半径２７ｄは０．０５ｍ〜０．３ｍの範囲で、通路の対象とする生物の種類と体格により決める。ただし、穴の数は４個に限るものではない。それぞれの穴の形状は等しいとは限らない。生物の体格を満足する範囲内であれば、意匠を考慮してそれぞれの穴の形状を変えても良い。
【作用】
【００３４】  図１０は図１〜図９で説明した１７個のブロック構造体１と、２個の半割ブロック構造体３０を千鳥に配置する人工斜面の正面図である。この千鳥配置では半割ブロック構造体３０を使用するが、これは突起と貫通孔の連続性を高めるものである。しかし、反割ブロック構造体３０は特殊なものではなく、図１〜図９で説明したブロック構造体１を基に簡単に決定できる。すなわち、図３において、穴Ａ４ａと穴Ｄ４ｄを省略すると、図の左半分あるいは右半分が反割ブロック構造体３０の突起と貫通孔および穴の配置となる。よって、反割ブロック構造体３０はブロック構造体１から作り出される。
【００３５】  図１０において、突起と貫通孔は他の隣り合うブロック構造体の突起と貫通孔とそれぞれ接続し、複数の幾何学的に連続した突起と複数の幾何学的に連続した貫通孔を構成する。例えば連続した突起２８は斜面の上端から下端に達し、連続した貫通孔２９は斜面の上端から下端に達する。そのような多数の連続した突起と連続した貫通孔が構築される。よって連続した突起の上面と連続した貫通孔は斜面の上端と下端を結ぶ通路となる。
【００３６】  また、突起と貫通孔が交差する箇所の穴はブロック構造体の突起と貫通孔を接続し、且つ突起と貫通孔が交差しているので、穴を分岐点として、連続した突起は多数の連続した貫通孔と接続され、連続した貫通孔は多数の連続した突起と接続される。
【００３７】  図１１は１８個のブロック構造体１を並列に配置する人工斜面の一例である。連続した突起３１は斜面の上端から下端に達し、連続した貫通孔３２は斜面の上端から下端に達する。この様に並列配置においても突起と貫通孔の連続性は保たれる。これは本発明のブロック構造体の特徴のひとつである。
【００３８】  以上より、本発明のブロック構造体を用いて人工斜面を形成すると、人工斜面に構築された連続した突起の上面と連続した貫通孔および交差部の穴を通路として利用することにより、生物は斜面の角度に関わらずに人工面の上端と下端の間の双方向に移動ができる。
【実施例】
【００３９】  土木工事で多用される前面面積１ｍ２のコンクリート製ブロック構造体を想定し、対象生物をネズミ・イタチとし、斜面傾斜角を９０°とする本発明のブロック構造体の実施例を以下に示す。【００４０】  ブロック構造体の高さＨ×長さＬ×厚さＴはＨ０．８ｍ×Ｌ１．２５ｍ×Ｔ０．５ｍとする。突起の突起幅×突起厚は０．１５ｍ×０．１ｍとする。突起の上面と下面の傾斜角Ａと傾斜角Ｂは９０°とする。貫通孔は孔幅×孔高が０．１ｍ×０．１ｍの正方形とする。貫通孔の取付深さは前面から０．１ｍとする。孔の形状は孔長０．０７５ｍ、穴幅Ａ０．０７５ｍ、穴幅Ｂ０．０７５ｍ、穴半径０．０７５ｍとする。この時の突起と貫通孔の勾配は約３２．６°となり、ネズミとイタチは斜面傾斜角９０°に関わらずに突起と貫通孔を通路として利用できる。
【産業上の利用可能性】
【００４１】  本発明は人工斜面を形成するためのブロック構造体を製造・販売する産業分野およびブロック構造体を用いて人工斜面を施工する産業分野で利用することができる。
【図面の簡単な説明】
【００４２】
【図１】  生物用通路要素付ブロック構造体の前面側外観斜視図
【図２】  生物用通路要素付ブロック構造体の背面側外観斜視図
【図３】  生物用通路機能付ブロック構造体の正面図
【図４】  図３のＥ−Ｅ断面図
【図５】  突起の軸線の配置図
【図６】  貫通孔の軸線の配置図
【図７】  図３のＦ−Ｆ断面図
【図８】  図３のＧ−Ｇ断面図
【図９】  図３の穴Ａ４ａの詳細図
【図１０】  生物用通路要素付ブロック構造体を千鳥に配置して形成する人工斜面の正面図
【図１１】  生物用通路要素付ブロック構造体を並列に配置して形成する人工斜面の正面図
【符号の説明】
【００４３】１    生物用通路要素付ブロック構造体
２ａ  突起Ａ
２ｂ  突起Ｂ
２ｃ  突起Ｃ
２ｄ  突起Ｄ
３ａ  貫通孔Ａ
３ｂ  貫通孔Ｂ
３ｃ  貫通孔Ｃ
３ｄ  貫通孔Ｄ
４ａ  穴Ａ
４ｂ  穴Ｂ
４ｃ  穴Ｃ
４ｄ  穴Ｄ
２８、３１  連続した突起
２９、３２  連続した貫通孔
【図１】
2008057299.tif 000003
【図２】
2008057299.tif 000004
【図３】
2008057299.tif 000005
【図４】
2008057299.tif 000006
【図５】
2008057299.tif 000007
【図６】
2008057299.tif 000008
【図７】
2008057299.tif 000009
【図８】
2008057299.tif 000010
【図９】
2008057299.tif 000011
【図１０】
2008057299.tif 000012
【図１１】
2008057299.tif 000013